(57)【要約】【課題】光源を複数のＬＥＤとし、天井から吊下げられて室内を照らす吊下げ型照明器具について、下方へ向かうＬＥＤ間の光の重なりを緩和し、シャーシを利用して効果的に放熱を行う。【解決手段】  本願発明に係る吊下げ型照明器具は、天井から吊下げられて室内を照らす吊下げ型照明器具である。この照明器具は、光源である複数のＬＥＤ１と、当該ＬＥＤ１が取り付けられる器具本体２と、ＬＥＤ１０の光を拡散して透過する光拡散部７とを備え、上記複数のＬＥＤ１０は、上記器具本体２へ平面視環状に配列されると共に、側面視において、器具本体２に対し、当該配列の環の外側下方に向け光軸が斜めとなるように設けられ、上記光拡散部７は、器具本体２へ取り付けられて、上記環状に配列されたＬＥＤ１を覆う。上記各ＬＥＤ１は、側面視において、床面に対し光軸を１０度〜４５度傾斜させて、器具本体２に設けられる。【選択図】図１
2013114866.tif 000002
【特許請求の範囲】
【請求項１】
天井から吊下げられて室内を照らす吊下げ型照明器具において、
光源であるＬＥＤを有する複数のＬＥＤモジュールと、複数の当該ＬＥＤモジュールが取り付けられる器具本体と、ＬＥＤの光を拡散して透過する光拡散部と、天井から下方へ上記器具本体を吊り下げるコードとを備え、
上記ＬＥＤモジュールの夫々は、１つ又は複数のＬＥＤと、表面に当該ＬＥＤが設けられた基板とを備え、
平面視において、上記複数のＬＥＤモジュールは、環状に配列され、
上記器具本体には、器具本体の上面の少なくとも一部を構成する金属製のシャーシと、上記ＬＥＤの熱を放熱する放熱部材とが設けられ、
上記放熱部材は、上記器具本体に設けられて、器具本体の側部又は底部の少なくとも一部を構成し、
上記放熱部材は、複数の金属製の構成板からなり、
上記構成板の夫々は、側面視において、個々の上記ＬＥＤモジュールを取り付ける取付用部と、当該取付用部を上記シャーシに接続する接続用部とを備え、
上記取付用部表面にＬＥＤモジュールの上記基板の裏面が固定されるものであり、
上記構成板の夫々は、当該取付用部に取り付けられた上記ＬＥＤモジュールの熱を放熱すると共に当該熱の一部を上記シャーシに伝導するものであり、
側面視において、上記取付用部の夫々は、上記器具本体への固定端を下端とし、上記シャーシに対して１０度〜４５度の角度で傾斜するものであり、
平面視において、上記複数の構成板が環状に配され、側面視において、上記放熱部材の下部は、構成板の上記取付用部の夫々を側面として下方に窄まる角錐台を呈し、
上記取付用部に取り付けられることによって、複数のＬＥＤモジュールは、平面視において、上記の通り環状に配列され、
上記取付用部に取り付けられることによって、個々のＬＥＤモジュールは、側面視において、ＬＥＤモジュールの上記配列の環の外側下方に向け基板を床面に対し１０度〜４５度の角度に傾斜させ、
側面視において、上記接続用部の夫々は、上記シャーシに対し上記取付用部と逆方向に向け、上記取付用部から斜め上方に伸びるものであり、
側面視において、上記各接続用部の上端部が上記シャーシの下面に沿って横方向へ伸び、ネジやボルトなどの留め具にて、各接続用部の当該上端部が上記シャーシへ固定されるものであり、
上記シャーシの上面の一部に、上記コードを係止する支持体が設けられ、
上記支持体は、上記シャーシの上面より上方に向け凸状に突出する半球状の金属製部材であり、
上記光拡散部は、上記器具本体へ取り付けられて、環状に配列された上記各ＬＥＤモジュールを覆うものであり、
側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有することを特徴とする吊下げ型照明器具。
【請求項２】
天井から吊下げられて室内を照らす吊下げ型照明器具において、
光源であるＬＥＤと、当該ＬＥＤが取り付けられる器具本体と、ＬＥＤの光を拡散して透過する光拡散部とを備え、
上記器具本体は、上記ＬＥＤを取り付ける取付用部を備え、
側面視において、上記取付用部は、ＬＥＤの取付面を、上記シャーシに対して器具本体の横下方へ斜めに向けるものであり、
上記ＬＥＤは、上記取付用部へ取り付けられることにより、側面視において、光軸を横下方へ斜めに向け、
上記光拡散部は、器具本体へ取り付けられて、上記複数のＬＥＤを覆うことを特徴とする吊下げ型照明器具。
【請求項３】
側面視において、上記取付用部は、上記シャーシに対し１０度〜４５度の角度傾斜することを特徴とする請求項２記載の吊下げ型照明器具。
【請求項４】
上記器具本体は、器具本体の上面の少なくとも一部を構成する金属製のシャーシと、上記ＬＥＤの熱を放熱する放熱部材とを備え、
上記放熱部材は、上記器具本体に設けられて、上記器具本体の側部又は底部の少なくとも一部を構成し、
上記放熱部材が、上記ＬＥＤを取り付ける上記の取付用部を備え、
上記放熱部材は、上記ＬＥＤの熱を放熱すると共に上記シャーシに接続されて、ＬＥＤの熱をシャーシに伝導するものであり、
側面視において、上記取付用部は、上記器具本体への固定端を下端とし上記シャーシとの接続側を上端として、ＬＥＤの取付面を、上記シャーシに対して上記器具本体の横下方へ斜めに向けるものであり、
上記ＬＥＤは、上記取付用部へ取り付けられることにより、側面視において、光軸を横下方へ斜めに向け、
上記光拡散部は、上記器具本体へ取り付けられて、上記複数のＬＥＤを覆うことを特徴とする請求項２又は３記載の吊下げ型照明器具。
【請求項５】
複数の上記ＬＥＤが、上記器具本体へ取り付けられるものであり、
上記放熱部材は、上記取付用部を複数備え、
平面視において、上記複数のＬＥＤは、環状に配列され、
上記放熱部材の下部は、下方に向けて窄まる、円錐台又は角錐台を呈し、当該円錐台の周方向の側面各部又は当該角錐台の各側面の夫々が、上記取付用部をなすものであり、
上記取付用部の夫々へ上記各ＬＥＤが取り付けられて、平面視において、上記の通り各ＬＥＤは、器具本体へ環状に配列されると共に、側面視において、上記器具本体に対し、当該配列の環の外側下方に向け光軸が斜めとなるように設けられ、
側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有するものであることを特徴とする請求項２乃至４の何れかに記載の吊下げ型照明器具。
【発明の詳細な説明】
【技術分野】
【０００１】
本願発明は、吊下げ型照明器具に関するものである。
【背景技術】
【０００２】
ペンダント型と呼ばれる吊下げ型照明器具は、天井からコードにて吊下げられる照明器具である。近年では、省スペースや省エネに優れ、寿命の長さからメンテナンスの負担が少ない、ＬＥＤを光源とするものが見られる（特許文献１）。
特許文献１の図１に示されているように、この吊下げ型のＬＥＤ照明器具は、側面視において、光軸を床面に対してほぼ９０度とするものである。
具体的には、特許文献１の図１に示された照明器具では、ＬＥＤが発する熱を効率よく放熱するため、照明器具の本体ケーシング上部にヒートシンク（放熱部１ｅ）が設けられ、本体ケーシング内において、当該ヒートシンクの下面に、ＬＥＤの基板が固定されている。側面視において、ＬＥＤの基板は、ヒートシンクに固定されて、床面に対し平行である。
一方、照明器具用として普及している一般的なＬＥＤの配光角は、概ね１２０度の範囲を超えるものではない。
【先行技術文献】
【特許文献】
【０００３】
【特許文献１】特開２００８−２１８２３８号公報
【発明の概要】
【発明が解決しようとする課題】
【０００４】
このため、上記の通り、光軸を床面に対してほぼ９０度とするもの即ちＬＥＤを真下に向けるものでは、天井側を十分照らすことができなかった。
この点、天井に直付けするタイプのＬＥＤ照明器具では、ほぼ天井面から下側に向けて部屋を照らすので問題にならなかった。
しかし、吊下げ型のＬＥＤ照明器具では、天井よりも低い位置に光源であるＬＥＤが配置されるので、照明器具直下の明るさを十分に確保できても、部屋全体を明るく照らすことができずに暗い印象を与えてしまう。
また、上記ＬＥＤ照明器具では、複数のＬＥＤを下方に向けることによって、ＬＥＤ間の配光の重なる部分が大きい。この配光の重なる部分の明るさは、過剰な場合もある。
このため、各ＬＥＤ間の間隔を大きくして、配光の重なりを小さくすることも考えられるが、照明器具を肥大化させてしまう。また、天井側の明るさの大幅な改善も見込めない。上記の通り、照明器具が肥大化することにより、室内の圧迫感を生じれば、省スペースといった観点から本末転倒である。
【０００５】
一方、照明器具の設計によっては、器具本体２１の一部として、放熱部１ｅの下部に円筒や逆円錐台形のプラスチックの成形部材を設けることがある。このような場合に、成形部材の下面にＬＥＤの基板を取り付けるものとすると、上記放熱部１ｅとＬＥＤの基板とは離れてしまう。
即ち、ＬＥＤの基板と放熱部１ｃとの間隔分、ＬＥＤの基板は、放熱部１ｃから遠ざかるものとなる。
ＬＥＤの基板の放熱に上記放熱部１ｅを利用しようとすると、放熱部１ｅとＬＥＤの基板との間に、当該基板と放熱部１ｃとの上下の間隔分の長さを有するアルミなどの熱伝導部材を介在させて、基板の熱を放熱部１ｅへ伝えることが必要となる。
本願発明は、吊下げ式の照明器具において、配光の偏りを抑え室内を広範に照らすことを目的とする。特に、本願発明は、前記配光の重なりを抑えることを目的とする。
また、本願発明は、シャーシ（放熱部１ｅ）を利用して効果的にＬＥＤ基盤の放熱を行うことができる吊下げ式の照明器具について、シャーシとＬＥＤの基板との隔たりの上記問題と、前記照らす範囲の偏りの問題とを一挙に解決することを目的とする。
尚、この発明が解決しようとする課題及び前記技術背景の欄で用いた番号及び記号は、これらの欄でのみ用いるものであり、他の欄に記載の番号や記号と無関係である。
【課題を解決するための手段】
【０００６】
本願の請求項１の発明は、天井から吊下げられて室内を照らす吊下げ型照明器具について、次の構成を採るものを提供する。
即ち、この照明器具は、光源であるＬＥＤを有する複数のＬＥＤモジュールと、複数の当該ＬＥＤモジュールが取り付けられる器具本体と、ＬＥＤの光を拡散して透過する光拡散部と、天井から下方へ上記器具本体を吊り下げるコードとを備え、上記ＬＥＤモジュールの夫々は、１つ又は複数のＬＥＤと、表面に当該ＬＥＤが設けられた基板とを備え、平面視において、上記複数のＬＥＤモジュールは、環状に配列され、  上記器具本体には、器具本体の上面の少なくとも一部を構成する金属製のシャーシと、上記ＬＥＤの熱を放熱する放熱部材とが設けられ、上記放熱部材は、上記器具本体に設けられて、器具本体の側部又は底部の少なくとも一部を構成し、上記放熱部材は、複数の金属製の構成板からなり、上記構成板の夫々は、側面視において、個々の上記ＬＥＤモジュールを取り付ける取付用部と、当該取付用部を上記シャーシに接続する接続用部とを備え、上記取付用部表面にＬＥＤモジュールの上記基板の裏面が固定されるものであり、上記構成板の夫々は、当該取付用部に取り付けられた上記ＬＥＤモジュールの熱を放熱すると共に当該熱の一部を上記シャーシに伝導するものであり、  側面視において、上記取付用部の夫々は、上記器具本体への固定端を下端とし、上記シャーシに対して１０度〜４５度の角度で傾斜するものであり、平面視において、上記複数の構成板が環状に配され、側面視において、上記放熱部材の下部は、構成板の上記取付用部の夫々を側面として下方に窄まる角錐台を呈し、上記取付用部に取り付けられることによって、複数のＬＥＤモジュールは、平面視において、上記の通り環状に配列され、上記取付用部に取り付けられることによって、個々のＬＥＤモジュールは、側面視において、ＬＥＤモジュールの上記配列の環の外側下方に向け基板を床面に対し１０度〜４５度の角度に傾斜させ、側面視において、上記接続用部の夫々は、上記シャーシに対し上記取付用部と逆方向に向け、上記取付用部から斜め上方に伸びるものであり、側面視において、上記各接続用部の上端部が上記シャーシの下面に沿って横方向へ伸び、ネジやボルトなどの留め具にて、各接続用部の当該上端部が上記シャーシへ固定されるものであり、上記シャーシの上面の一部に、上記コードを係止する支持体が設けられ、上記支持体は、上記シャーシの上面より上方に向け凸状に突出する半球状の金属製部材であり、上記光拡散部は、上記器具本体へ取り付けられて、環状に配列された上記各ＬＥＤモジュールを覆うものであり、側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有する。
尚、ここでいう角錐は、周方向について側面が複数の平面にて構成されたものであればよく、端面が平らなものに限定するものではない。例えば端面は、凹曲面や凸曲面であっても、周方向について側面が複数の平面にて構成されていれば、これを含む。また、当該端面の平面視における形状も多角形に限定するものではなく、デザイン処理によって、円形などの多角形以外の形状とされたものも、周方向について側面が複数の平面にて構成されたものであれば、ここでいう角錐に含む。
本願の請求項２の発明は、天井から吊下げられて室内を照らす吊下げ型照明器具について、次の構成を採るものを提供する。
即ち、この照明器具は、光源であるＬＥＤと、当該ＬＥＤが取り付けられる器具本体と、ＬＥＤの光を拡散して透過する光拡散部とを備え、上記器具本体は、上記ＬＥＤを取り付ける取付用部を備え、側面視において、上記取付用部は、ＬＥＤの取付面を、上記シャーシに対して器具本体の横下方へ斜めに向けるものであり、上記ＬＥＤは、上記取付用部へ取り付けられることにより、側面視において、光軸を横下方へ斜めに向け、上記光拡散部は、器具本体へ取り付けられて、上記複数のＬＥＤを覆う。
本願の請求項３の発明では、本願の上記請求項２の発明にあって、側面視において、上記取付用部は、上記シャーシに対し１０度〜４５度の角度傾斜する吊下げ型照明器具を提供する。
本願の上記請求項４の発明は、本願の上記請求項２又は３の発明にあって、次の構成を採る吊下げ型照明器具を提供する。
即ち、上記器具本体は、器具本体の上面の少なくとも一部を構成する金属製のシャーシと、上記ＬＥＤの熱を放熱する放熱部材とを備え、上記放熱部材は、上記器具本体に設けられて、上記器具本体の側部又は底部の少なくとも一部を構成し、上記放熱部材が、上記ＬＥＤを取り付ける上記の取付用部を備え、上記放熱部材は、上記ＬＥＤの熱を放熱すると共に上記シャーシに接続されて、ＬＥＤの熱をシャーシに伝導するものであり、側面視において、上記取付用部は、上記器具本体への固定端を下端とし上記シャーシとの接続側を上端として、ＬＥＤの取付面を、上記シャーシに対して上記器具本体の横下方へ斜めに向けるものであり、上記ＬＥＤは、上記取付用部へ取り付けられることにより、側面視において、光軸を横下方へ斜めに向け、上記光拡散部は、上記器具本体へ取り付けられて、上記複数のＬＥＤを覆う。
本願の上記請求項５の発明は、本願の上記請求項２乃至４の何れかの発明にあって、次の構成を採る吊下げ型照明器具を提供する。
即ち、複数の上記ＬＥＤが、上記器具本体へ取り付けられるものであり、上記放熱部材は、上記取付用部を複数備え、平面視において、上記複数のＬＥＤは、環状に配列され、上記放熱部材の下部は、下方に向けて窄まる、円錐台又は角錐台を呈し、当該円錐台の周方向の側面各部又は当該角錐台の各側面の夫々が、上記取付用部をなすものであり、上記取付用部の夫々へ上記各ＬＥＤが取り付けられて、平面視において、上記の通り各ＬＥＤは、器具本体へ環状に配列されると共に、側面視において、上記器具本体に対し、当該配列の環の外側下方に向け光軸が斜めとなるように設けられ、  側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有する。
【発明の効果】
【０００７】
本願の各請求項の発明は、側面視において、各ＬＥＤの光軸を斜めとして、広範に室内を照らすことを可能とした。
その上で、本願の請求項１、４及び５の発明は、ＬＥＤの取り付用の部材を放熱部材することによって、ＬＥＤの加熱を抑えることができる。特に、照明器具が備えるシャーシを利用して、ＬＥＤが発する熱を適切に放熱することを可能とした。
更に、本願の請求項１、４及び５の発明は、側面視において、ＬＥＤを取り付ける取付用部を、器具本体の上面を構成する上記シャーシに対し、斜めに配置することにより、器具本体へ固定した当該取付用部の下端に対して、当該取付用部の上端側をシャーシへ近づける或いはシャーシと直接接続することができる。また、この照明器具において、取付用部をシャーシと直接接続しないものであっても、取付用部を器具本体の底面へ水平に配置する場合に比べて、シャーシと取付用部との間に介される熱伝導部材即ち接続用部の上下の長さを、短いものとすることができる。
更に、本願の請求項１及び５の発明は、吊下げ型のＬＥＤ照明器具において、上記の通り平面視環状に配列した各ＬＥＤの光軸が、側面視において当該配列の輪の外側下方に向けて傾斜するように各ＬＥＤを、器具本体へ設けることによって、下方へ向かうＬＥＤ間の光の重なりを緩和した。特に、ＬＥＤの光の照射範囲を天井側へ寄せるものとなり、天井側の暗さを緩和した。
本願の請求項１及び５の発明は、シャーシを利用し照明器具と天井との間の空間を活用してＬＥＤの熱を効果的に放熱するものであるが、前述の特許文献１と異なり、シャーシに直接ＬＥＤの基板を取り付けるものではなく、側面視において傾斜する取付用部へＬＥＤを取り付け、ＬＥＤの確実な放熱と天井側の暗さの緩和との両立を可能としたものである。
【図面の簡単な説明】
【０００８】
【図１】（Ａ）は本願発明の一実施の形態に係る照明器具の縦断面図、（Ｂ）はその照明器具の一部切欠拡縦大断面図。
【図２】（Ａ）は上記照明器具のカバーを外し主として底部側を見せる斜視図、（Ｂ）は上記照明器具の放熱部材を外し主として上面部側を見せる一部切欠斜視図、（Ｃ）は図１（Ｂ）の照明器具のＸ−Ｘ断面図。
【図３】（Ａ）は上記照明器具の一部切欠拡要部縦大断面図、（Ｂ）は他の実施の形態を示す一部切欠拡要部縦大断面図。
【図４】（Ａ）は上記照明器具のカバー７０係止前の一部切欠略底面図、（Ｂ）は上記照明器具の器具本体の一部切欠拡要部略斜視図、（Ｃ）は上記照明器具の器具本体にカバーを装着した状態を示す一部切欠略底面図。
【図５】配光を説明する上記照明器具の縦断面図。
【図６】（Ａ）は上記照明器具の平面図、（Ｂ）は上記照明器具のＬＥＤモジュール１の平面図。
【発明を実施するための形態】
【０００９】
以下、図面に基づき本願発明の実施の形態を説明する。
説明の便宜上、各図において、Ｕは上方、Ｓは下方を示す。
図１（Ａ）へ示す通り、この照明器具は、ペンダント型の即ち天井から吊り下げる吊下げ型の屋内照明器具である。尚、図１（Ａ）（Ｂ）において、図面の煩雑を避けるため、ハッチングは省略している。
この照明器具は、複数のＬＥＤモジュール１と、複数の当該ＬＥＤモジュール１が取り付けられる器具本体２と、放熱部材３と、留め具５と、光拡散部７と、コード８と、虫侵入防止部とを備える。
各部の構成について順に説明する。
【００１０】
（ＬＥＤ１）
上記ＬＥＤモジュール１の夫々は、光源である１つ又は複数のＬＥＤ１０と、基板１１とを備えたモジュールである。当該ＬＥＤ１０は基板１１の表面に設けられている。図２（Ａ）及び図６（Ｂ）へ示す通り、個々のＬＥＤモジュール１の基板１１は、平面視略台形である。図６（Ｂ）へ示す通り、このＬＥＤモジュール１は等脚台形状であるが、正確には、本来台形として平行な一対の辺の一方となるべき短辺１６が、平面視凹の曲線である。但し、当該短辺１６は、通常の台形と同じく、直線としても実施できる。
複数のＬＥＤモジュール１は、上記放熱部材３にて器具本体２へ取り付けられる。
複数のＬＥＤモジュール１は、平面視環状に配列される。図６（Ｂ）へ示す通り、各基板１１には、複数の上記ＬＥＤ１０の他、モジュール間コネクタ１３や、電源コネクタ１４が設けられる。モジュール間コネクタ１３は、基板１１同士間に介される配線１２へ接続するものである。電源コネクタ１４は、電源からの配線（図示しない。）に接続するものである。図６（Ｂ）の１５は、ネジやボルトなどの固定具を通す穴を示している。
【００１１】
（器具本体２）
上記器具本体２は、図１及び図２へ示す通り、中心軸を上下とするプラスチック製の筒状体である。この実施の形態において、器具本体２は、ポリプロピレンにて形成されている。但し、器具本体２は、ポリプロピレンに限定するものではなく、軽量で照明器具として実用的な強度を備えるものであれば、ポリプロピレン以外の素材にて形成することが可能である。
図１（Ａ）へ示す通り、器具本体２である当該筒状体の高さは、その直径よりも小さい。上記器具本体２は、下端に底部を備え、上端が開口する。この上端開口部の外縁にはフランジ部２０が形成されている。フランジ部２０の上面に、シャーシ６が取り付けられて、器具本体２の上端開口部は、当該シャーシ６にて塞がれる。
フランジ部２０には、図１（Ｂ）及び図３（Ａ）へ示す通り、フランジ部２０の上面から下面に貫通する複数の窓部２１が設けられている。複数の窓部２１は、平面視において、上記上端開口部を取り囲むようフランジ部２０へ設けられている。
図１（Ｂ）及び図３（Ａ）へ示す通り、フランジ部２０の外縁２０ａには、側面視において、フランジ部２０の径外方向且つ下方に向け斜めに伸びるスリーブ２２が延設されている。フランジ部２０の下面には、側面視において、上記窓部２１とスリーブ２２との間から、下方へ伸びる筒状部２３が設けられている。この筒状部２３は、筒状部２３は、下端が解放されている。スリーブ２２と筒状部２３は、何れも、器具本体２が呈する上記筒状体と同心である。
【００１２】
図３（Ａ）へ示す通り、スリーブ２２の内周面と筒状部２３の外周面との間は、器具本体２の径の内外方向について、間隔が開けられており、両者の間の空間が、後述する被係止部２４の収容部ｋを構成する。即ち、側面視において、スリーブ２２は、上記空間を画する外壁部であり、筒状部２３は上記空間を画する内壁部である。
図３（Ａ）へ示す通り、スリーブ２２の内周面には、側面視において、スリーブ２２の径の内側へスリーブ２２の外縁２２ａと隣接して座部２６が設けられている。座部２６は、下端がスリーブ２２の上記外縁２２ａの上方に位置する。この実施の形態において、座部２６の下面は平らである。座部２６は、平面視において環状に形成されている。座部２６が呈する環は、器具本体２と同心である。
この実施の形態において、座部２６は、平面視において、同心の二重の円として、２つ設けられているが、座部２６は１つでも、３つ以上でも実施できる。
図３（Ａ）へ示す通り、側面視において、スリーブ２２の外縁２２ａと筒状部２３の下縁２３ａとの間、正確には上記座部２６と筒状部２３の下縁２３ａとの間には間隔が開けられており、当該座部２６と筒状部２３の下縁２３ａとの間は、上記収容部ｋの開口部ｋ１を形成する。この開口部ｋ１は、平面視において、筒状の器具本体と同心の環を呈する。
図２（Ｂ）及び図３（Ａ）へ示す通り、筒状部２３の外縁２３ａには、平面視において周方向の互いに異なる位置へ複数の係止部２４が設けられている。係止部２４は、夫々筒状部２３の外縁２３ａから筒状部２３の径外方向へ向けて突出する小片である。
係止部２４は、図２（Ｂ）及び図４へ示す通り、スリーブ２２の周方向ｒに沿って設けられ、上面をほぼ水平な面とする板状部である。
平面視において、スリーブ２２の周方向ｒについて、開口部ｋ１の上記係止部２４同士の間には、間隔が開けられ、収容部ｋ１において、平面視における当該係止部２４同士の間は、ガイド部ｋ２を構成する（図２（Ｂ）及び図４）。
図２（Ｂ）及び図４（Ｂ）へ示す通り、係止部２４におけるスリーブ２２周方向ｒの一端には、側面視においてスリーブ２２の周方向ｒに沿って当該一端から離れるにつれ下方へ向け斜めに伸びる傾斜部２５が延設されている。
尚、図２（Ｂ）は、説明の便宜上、接続用部４とスリーブ２２と筒状部２３の係止部２４以外の部分とを取り除いて描かれている。
【００１３】
上記シャーシ６は、器具本体２の上部に設けられて、器具本体２の上面を構成する、冷間圧延鋼板でできた円盤である。シャーシ６は、図１（Ａ）へ示す通り、器具本体２の上面を構成すべく、盤面を上下に向け水平に配されている。
前述の通り、上記シャーシ６は、器具本体２の上面部として、器具本体２のフランジ部２０に取り付けられて、器具本体２の上記開口部を塞ぐ。
詳しくは、側面視において、シャーシ６は、フランジ部２０の上記窓部２１に重なる部位が、下方に隆起部６１として、上方から窓部２１内へ入りこむ（図３（Ａ））。
【００１４】
（放熱部材３）
上記放熱部材３は、図１（Ａ）（Ｂ）及び図２（Ａ）に示す通り、上記の器具本体２に設けられた金属製の部材である。
放熱部材３は、平面視において、器具本体２を取り囲んで環状に配列された複数のアルミ製の構成板３０にて構成される。
側面視において、構成板３０の夫々は、上記ＬＥＤモジュール１を取り付ける取付用部３１と、当該取付用部３１を上記シャーシ６へ接続する接続用部３２とを備える。
上記取付用部３１の表面にＬＥＤモジュール１の上記基板１１の裏面が固定される。
構成板３０の夫々は、当該取付用部に取り付けられた上記ＬＥＤモジュール１の発する熱を放熱すると共に当該熱の一部を上記シャーシ６に伝導する。
側面視において、上記取付用部３１の夫々は、上記器具本体２への固定端を下端とし、上記シャーシ６に対して１０度〜４５度傾斜する。
平面視において、上記の通り、複数の構成板３０が環状に配され、側面視において、上記放熱部材３の下部は、構成板３０の上記取付用部３１の夫々を側面として下方に窄まる角錐台を呈する。
この実施の形態において、上記ＬＥＤモジュール１及び構成板３０は夫々８枚であり、放熱部材３は、８つ取付用部３１を備える。従って、平面視において、上記８枚の構成板３０が環状に配され、側面視において、上記放熱部材３の下部は、構成板３０の上記取付用部３１の夫々を側面として下方に窄まる八角錐台を呈する。放熱部材３の下端面は、正確には、平面視円形である。即ち、上記の逆八角錐台の各側面の下辺は、直線ではなく円弧である。
そして、側面視において、取付用部３１の夫々は、一端を下端とし、当該下端が器具本体２の底面の縁において器具本体２へ固定されている。取付用部３１の夫々は、上記の通り八角錐台の側面とされることによって、側面視において、他の一端を上端として、当該上端を上記下端の上方であって、構成板３０が呈する環の外側へ向ける。
【００１５】
上記角度に傾斜する取付用部３１の夫々に、各ＬＥＤモジュール１の基板１１裏面を固定する。ネジやボルト・ナットといった固定具を基板１１の前述の穴１５へ通すことにより、基板１１の裏面を取付用部３１の表面へ密着するように固定することができる。
上記の固定により、側面視において、当該基板１１をシャーシ６に対して１０度〜４５度傾斜させることができる。即ち、側面視において、部屋の床面に対し、当該基板１１を１０度〜４５度傾斜させることができる。
また、取付用部３１の夫々に、各ＬＥＤモジュール１の基板１１裏面を固定することによって、平面視において、上記複数のＬＥＤモジュール１を上記器具本体２へ環状に配列することができる。
基板１１に対してＬＥＤ１０の光軸は、側面視において、９０度の角度をなすものであり、基板１１の上記傾斜によって、側面視において、当該配列の環の外側下方に向けＬＥＤ１０の光軸を斜めとする。即ち、側面視において、部屋の床面に対し、ＬＥＤ１０の光軸を傾斜させることができる。
尚、図２（Ａ）において、八角錐台の手前の２つの側面は、ＬＥＤモジュール１を外された状態に描かれており、２枚の構成板３０の取付用部３１が露出している。図２（Ａ）へ示す通り、構成板３０の取付板３１はその表裏に貫通する貫通部３１を備える。この貫通部３１へ、電源と電気的に連絡する配線や、隣り合う基板１１同士を接続する配線１２が通される。
【００１６】
側面視において、上記構成板３０の接続用部３２は、取付用部３１の上端から、取付用部３１と反対に傾斜して上方へ伸びる。即ち、側面視において、接続用部３２と取付用部３１とは、くの字を呈する。更に、図１（Ｂ）及び図２（Ａ）へ示す通り、側面視において、接続用部３２の上端部３３は、接続用部３２の下部に対し屈曲して、フランジ部２０の径内方向に向け横方向に伸びる。
接続用部３２の当該上端部３３は、フランジ部２０の下方から、フランジ部２０の上記窓部２１へ配置される。当該配置によって、接続用部３２の上端部３３は、窓部２１にてシャーシ６の下面に沿わされる。
接続用部３２の上端部３３は、シャーシ６の前述の隆起部６１に、窓部２１を通じて、重ねられ、前記留め具５が通される。
図１（Ｂ）及び図３（Ａ）へ示す通り、接続用部３２の内側面には上下に伸びる複数の隆起３４が形成されている。この隆起３４は、接続用部３２を補強すると共に接続用部３２の表面積を大きくして、放熱効果を高める。
【００１７】
（留め具５）
留め具５は、ネジやピン、ボルト・ナットといった周知の固定手段にて実施すればよい。上記の通り窓部２１を通じて留め具５をシャーシ６と接続用部３２の上端部３３へ通すことにより、シャーシ６へ接続用部３２を固定すると共に、シャーシ６と接続用部３２を器具本体２へ固定する。また、器具本体２へ接続用部３２を固定することにより、構成板３０の上端を器具本体２へ固定することになる。
上記構成板３０のシャーシ６への固定により、構成板３０が受けたＬＥＤモジュール１の熱の一部が、構成板３０からシャーシ６へ伝えられる。
尚、この実施の形態では、シャーシ６の器具本体２への固定をより確実にするために、上記留め具５とは別に、シャーシ６の取り付け専用の、上記接続用部３２の固定に関与しない副留め具５１を設けている（図１（Ａ）及び図６（Ａ））。
【００１８】
（コード８）
上記のコード８は、図１（Ａ）へ示す通り、天井から下方に間隔を開けて、シャーシ６と、当該シャーシ６が設けられた器具本体２を吊るす。
また、コード８は、内部に電気を供給する電線を有するものであり、上記の通り、シャーシ６と共に器具本体２を支持するほか、器具本体２に設けられた前述の交流・直流変換機や整流器といった電気機器（図示しない）を介して上記配線１２（図２（Ａ））と接続されて、ＬＥＤモジュール１へ電源を供給する。
コード８の上端側には、引掛部８１が設けられている。天井の電源供給部（引っ掛けシーリング）に、当該引掛部８１へ引っ掛けることにより、コード８の上端を、天井へ固定すると共に電源から照明器具へ電気を供給することができる。上記の接続固定具８２と引掛部８１は、周知の結合構造を採るものを採用する。
コード８が、照明器具を天井より下方に配置することにより、シャーシ６は、放熱部材３から伝達された熱を、天井と照明器具との間の空間を利用して、円滑に空気中へ放散することができる。
具体的には、ＬＥＤモジュール１の熱は、放熱部材３表面から直接空気中へ放出されると共に、図１（Ａ）において太字の矢印で示す通り、構成板３０の取付用部３１から接続用部３２を経て、シャーシ６へ伝わり、シャーシ６表面から照明器具の上方の空間へ向け放射される。図１（Ａ）において、煩雑を避けるため、白抜きの矢印は、側面視において、照明器具の左側にのみ付し、照明器具の右側については省略している。
上記の通りコード８は、照明器具の天井への支持と、電気の供給を兼ねるものとすることにより、照明器具の取り付けや配線を纏まりのよいものとすることができる。纏まりの良い分照明器具の設置も簡単に行える。
但し、当該電源の供給は、コード８とは別に設けられた電線によるものとし、コード８は専らシャーシ６や器具本体を支持するものを除外するものではない。
更に、この実施の形態では、キャップ８０がシャーシ６の上面中央に取り付けられる。このキャップ８０は、錐状の中空の部材であり、コード８の下端側を覆う。
この実の形態において、キャップ８０は、プラスチック製の部材である。この他、シャーシ６と共に放熱効果を促進するために、金属製の部材にてキャップ８０を形成してもよい。
【００１９】
（光拡散部７）
この照明器具は、器具本体２の下部を覆うカバー７０を備える。
カバー７０は、光を拡散して透過することができる、透明又は半透明のプラスチックにて形成されている。この実施の形態において、カバー７０は、白色、特に乳半色のアクリルにて形成されている。但し、ＬＥＤの発する光を拡散して透過するものであれば、このような素材に限定するものではなく、他の素材にてカバー７０を形成することが可能である。
カバー７０は、前記光拡散部７と、中央部７２と、内襟部７８とを備える。
光拡散部７は、平面視において、取付用部３にて器具本体２へ取り付けられて上記環状に配列されたＬＥＤモジュール１を覆う環状のケースである。ケースである光拡散部７の上部は開口する。
中央部７２は、平面視において光拡散部７が呈する環の内側を塞ぐように、光拡散部７と一体に形成された板状部である。中央部７２は、図１（Ａ）へ示す通り、径の中心を最深部として、側面視において、上方へ後退する凹曲面を呈する。
【００２０】
上記光拡散部７は、ＬＥＤ１からの直接光を拡散して照明器具の外部へ透過する。
平面視において、光拡散部７の外径、即ち、カバー７０の最大径は、上記スリーブ２２の径よりも大きい。
光拡散部７は、図１（Ｂ）へ示す通り、側面視においてＬＥＤ１０の光軸とほぼ直交する主透過部７１と、上方透過部７３とを備える。
平面視において、主透過部７１と上方透過部７３は、夫々環状に形成されている。
平面視において、上記主透過部７１は機器本体２の径方向の外側に位置する。
上方透過部７３は、主透過部７１の径の内外方向について、主透過部７１の外側に設けられている。上方透過部７３は、主透過部７１と一体に設けられる。上方透過部７３は、平面視において光拡散部７の外径部となる主透過部７１の外縁から、内側に折り返された状態に形成されて、側面視において主透過部７１の上方へ位置する。
カバー７０を器具本体２の下方へ、器具本体２と同心に配置した際、平面視において、上方透過部７３は、前記スリーブ２２の外側に位置するものであり、側面視において、上方透過部７３は、スリーブ２２と主透過部７１との間を覆う傾斜部位である。
側面視において、上方透過部７３は、ＬＥＤ１からの直接光を拡散して照明器具の外部へ透過すると共に主透過７１の内面にて反射しＬＥＤ１の光をスリーブ２２の外側斜め上方へ向けて透過する。
上記の中央部７２は、器具本体２の真下に位置する。中央部７２の上面と器具本体２底部との間に間隔が設けられている。中央部７２は、ＬＥＤ１０から直接・間接的に器具本体２の真下に向かって斜め下方に進行する光を拡散してカバー７０外部へ透過する。
【００２１】
内襟部７８は、図２（Ｃ）及び図３（Ａ）へ示す通り、側面視において、光拡散部７の上方透過部７２の上端から、上面を水平にして、光拡散部７の径内方向へ向けて伸びる、平面視環状の板状部である。
内襟部７８の内径部には、内襟部７８の径内側方向へ突出する複数の被係止部７５が設けられている。被係止部７５同士は、平面視において、内襟部７８の周方向について、間隔を開けて設けられている。内襟部７８の周方向における、被係止部７５同士の当該間隔区間を以下間欠部７６と呼ぶ。
平面視において、器具本体２と同心となるように、器具本体２の下方へカバー７０を配置した状態において、スリーブ２２の外縁２２ａは、内襟部７８上面の上方に位置し、上記各被係止部７５は、器具本体２のスリーブ２２の径内外方向について、前記開口部ｋ１内に位置する。上記配置状態において、平面視における被係止部７５の器具本体２の中心からの距離は、平面視における係止部２４の器具本体２の中心からの距離と等しい。
被係止部７５は、上方に隆起する起立部７７を備える。
図２（Ｂ）及び図４（Ａ）は、カバー７０を、器具本体２へ固定する前の状態を示している。
図２（Ｂ）及び図４（Ａ）へ示す通り、カバー７０を器具本体２の下部へ配置し、収容部ｋにおける前記ガイド部ｋ２の開口部ｋ１から上記収容部ｋ内へ被係止部７５を挿入する。カバー７０を器具本体２の周方向へ回転させて、上記間欠部７６へ、前記の傾斜部２５及び係止部２４を、当該順に通す。ガイド部ｋ２は、上記回転に伴い、被係止部７５を係止部２４へ向けてガイドする。
図４（Ｂ）に被係止部７５を一点鎖線で示す。この図４（Ｂ）へ示す通り、傾斜部２５へ到達した被係止部７５は、傾斜部２５に案内されて、図４（Ｃ）へ示す通り、係止部２４の上面へ移動する。
上記スリーブ２２内部において、上記傾斜部２５側を入口側とし係止部２４を挟んで傾斜部２５と反対側は、筒状部２３の外壁の一部にて行き止まりとなっている。
被係止部７５の係止部２４上面への移行によって、被係止部７５の係止部２４への係止は完了する。
上記の通り、被係止部７５を係止部２４へ係止することにより、カバー７０を器具本体２へ仮止めすることができる。
【００２２】
上記仮止め後、図２（Ｃ）及び図３（Ａ）へ示す通り、スリーブ２２へ、ネジやボルトといった、ねじ山を備えた上記固定具４をねじ込む。この固定具４によって、被係止部７５が係止部２４の上面から上記入口側へ後退するのを阻止する。
固定具は、工具によって取り外ことができるものである。即ち、分解しなければ、カバー７０を器具本体から外すことができない。
上記の係止部２４と被係止部７５と収容部ｋと固定具４とが、カバー７０を器具本体２へ固定する固定機構を構成する。
上記固定具４の装着にて、カバー７０を器具本体２から、ユーザーサイドにて外せないようにし、ユーザーが加熱したＬＥＤの基板１１へ触れるを防ぐことができる。
但し、上記固定機構は、被係止部７５を係止部２４へ係止した後被係止部７５の後戻りを阻止する周知の嵌め殺しの構成を、このような固定具４に代えて、或いは固定具４と共に設けるものとしても実施できる。
被係止部２４の前記起立部７７先端は、スリーブ２２の内面に当接する。当該当接により、被係止部７５の係止部２４への係止において、カバー７０は、上記被係止部７５以外の部分で、器具本体２と接触しない。
即ち、起立部７７の上記当接により、内襟部７８の上面と、スリーブ２２の外縁２３ａとの間には、隙間が開けられる。
【００２３】
（虫侵入防止部）
上記の座部２６の下面に、虫侵入防止部２５が設けられる。虫侵入防止部２５は、押圧されることにより弾性変形する弾性変形部材である。上記虫侵入防止部２５は、上記スリーブ２２の外縁２２ａに沿って当該外縁２２ａ又は上記起立部７７よりも当該外縁２２ａ側に設けられ、座部２６に沿って平面視環状に配された部材である。
座部２６に設けられた虫侵入防止部２５の下端は、スリーブ２２の外縁２２ａよりも下方に突出する。
虫侵入防止部２５には、スポンジやゴム、ウレタンといった弾力性を有するクッション材を採用することができる。この実施の形態では、虫侵入防止部２５にはスポンジを採用する。
上記虫侵入防止部２５は、上記カバー７０と上記器具本体２との間に介され、係止部２４への被係止部７５の上記係止により、上記カバー７０の内襟部７８と上記器具本体２のスリーブ２２の外縁２２ａとに挟まれて弾性変形し、上記カバー７０と上記器具本体２と間を密閉し、スリーブ２２外縁２２ａとカバー７０の上記内襟部７８との間を通って虫が外部からカバー７０内に侵入するのを防止する。
また、弾性変形した虫侵入防止部にて、被係止部７５は係止部２４へ付勢され、係止がより強固なものとされる。
カバー７０と器具本体２とを異なる素材にて形成すると、熱膨張率・熱収縮率の違いにより、カバー７０と器具本体２の収縮や膨張の際に、器具本体２とカバー７０との間において、音鳴りが生じる。
器具本体２とカバー７０との間に上記虫侵入防止部２５を介すると共に、起立部７７により、被係止部７５の係止部２４への係止中、カバー７０の上端開口部において、カバー７０を上記被係止部７５以外の部分で、器具本体２と接触させないことにより、上記音鳴りを抑制することができる。虫侵入防止部２５にスポンジを採用するのが、音鳴り防止に効果的である。
【００２４】
（配光について）
図５を用いて、本願発明に係る上記照明器具の配光について説明する。図５に示す照明器具は、側面視において、ＬＥＤモジュール１の基板１１を、シャーシ６に対して、言い換えれば床面に対して２５度の角度傾斜させたものである。
図５では、直接光のみ示し、反射光については省略する。
本願発明の配光を実線の直線で示す。また、基板１１を水平（傾斜角度０度）に配置する、従来の照明器具の配光を点線で示す。また、比較例として、基板１１を鉛直に立てた状態（９０度）の配光を一点鎖線で示す。上記実線同士、点線同士、一点鎖線同士に挟まれた、本願、従来例、比較例夫々の配光各は、何れも１２０度である。
図５へ示す通り、カバー内の反射を除いた、直接光の配光について見れば、本願発明に係る照明器具は、ＬＥＤ同士で重なるところが少なく、照明器具のほぼ真横まで配光されている。
これに対して、従来の基板１１を水平とするものは、ＬＥＤ間の配光の重なりが本願の照明器具に比して極めて大きく、横方向には殆ど配光されていない。
また、上記比較例では、真横や上方への配光がなされているものの、肝心の照明器具の真下については配光されず、中抜け状態となっている。
【００２５】
（変更例）
図３（Ｂ）へ示す通り、虫侵入防止部２５は、スリーブ２２の外縁２２ａの下面を覆うように、スリーブ２２へ設けるものとしても実施できる。
図１〜図３へ示す各実施の形態において、放熱部材３は、複数の構成板３０にて分割して形成されたものであったが、一つの金属部材で一体に形成するものとしてもよい。
また、放熱部材３の下部は、上記の実施の形態において、図２（Ａ）へ示す通り、八角錐台を呈するものとした。取付用部３は、この他、三角〜七角錐台或いは九角錐以上の多角錐台を呈するものとしても実施できる。更には、放熱部材３の下部は、円錐台を呈するものとしても実施できる。
また、放熱部材３の構成板３０に上記接続用部３２を設けず、取付用部３１を直接シャーシ６へ接続するものとしても実施できる。更には、放熱部材３をシャーシ６と一体に形成するものとしてもよい。放熱部材３をシャーシ６と一体に形成する場合、両者を共にアルミ又は冷間圧延鋼板にて形成するものとすればよい。
放熱部材３は、アルミ製のものに限定するものではなく、ＬＥＤモジュール１の熱を伝導し放熱するに適した他の金属を用いて実施することも可能である。
上記図示した実施の形態において、開口部ｋ１は、平面視環状に形成されたものを示したが、弧状であっても実施できる。
また、上記おいて、係止部２４は、筒状部２３へ設けられて筒状部２３の径外方向へ突出するものとした。この他、係止部２４は、スリーブ２２へ設けられてスリーブ２２の径内方向へ突出するものとしてもよい。
係止部２４と被係止部７５については、互いの構成が、図示した実施の形態と逆であっても実施できる。係止部２４と被係止部７５を図示した実施の形態と逆にする場合、被係止部７５の上記収容部ｋを、カバー７０側に形成すればよい。
更に、上記各実施の形態において、虫侵入防止部２５は、器具本体２のフランジ２２へ固定するものとしたが、カバー７０側へ固定するものとしても実施できる。
【符号の説明】
【００２６】
１  ＬＥＤ  
２  器具本体
３  放熱部材
４  固定具
５  留め具
６  シャーシ
【図１】
2013114866.tif 000003
【図２】
2013114866.tif 000004
【図３】
2013114866.tif 000005
【図４】
2013114866.tif 000006
【図５】
2013114866.tif 000007
【図６】
2013114866.tif 000008
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
天井から吊下げられて室内を照らす吊下げ型照明器具において、
光源であるＬＥＤを有する複数のＬＥＤモジュールと、複数の当該ＬＥＤモジュールが取り付けられる器具本体と、ＬＥＤの光を拡散して透過する光拡散部と、天井から下方へ上記器具本体を吊り下げるコードとを備え、
上記ＬＥＤモジュールの夫々は、１つ又は複数のＬＥＤと、表面に当該ＬＥＤが設けられた基板とを備え、
平面視において、上記複数のＬＥＤモジュールは、環状に配列され、
上記器具本体には、器具本体の上面の少なくとも一部を構成する金属製のシャーシと、上記ＬＥＤの熱を放熱する放熱部材とが設けられ、
上記放熱部材は、上記器具本体に設けられて、器具本体の側部又は底部の少なくとも一部を構成し、
上記放熱部材は、複数の金属製の構成板からなり、
上記構成板の夫々は、側面視において、個々の上記ＬＥＤモジュールを取り付ける取付用部と、当該取付用部を上記シャーシに接続する接続用部とを備え、
上記取付用部表面にＬＥＤモジュールの上記基板の裏面が固定されるものであり、
上記構成板の夫々は、当該取付用部に取り付けられた上記ＬＥＤモジュールの熱を放熱すると共に当該熱の一部を上記シャーシに伝導するものであり、
側面視において、上記取付用部の夫々は、上記器具本体への固定端を下端とし、上記シャーシに対して１０度〜４５度の角度で傾斜するものであり、
平面視において、上記複数の構成板が環状に配され、側面視において、上記放熱部材の下部は、構成板の上記取付用部の夫々を側面として下方に窄まる角錐台を呈し、
上記取付用部に取り付けられることによって、複数のＬＥＤモジュールは、平面視において、上記の通り環状に配列され、
上記取付用部に取り付けられることによって、個々のＬＥＤモジュールは、側面視において、ＬＥＤモジュールの上記配列の環の外側下方に向け基板を床面に対し１０度〜４５度の角度に傾斜させ、
側面視において、上記接続用部の夫々は、上記シャーシに対し上記取付用部と逆方向に向け、上記取付用部から斜め上方に伸びるものであり、
側面視において、上記各接続用部の上端部が上記シャーシの下面に沿って横方向へ伸び、ネジやボルトなどの留め具にて、各接続用部の当該上端部が上記シャーシへ固定されるものであり、
上記シャーシの上面の一部に、上記コードを係止する支持体が設けられ、
上記支持体は、上記シャーシの上面より上方に向け凸状に突出する半球状の金属製部材であり、
上記光拡散部は、上記器具本体へ取り付けられて、環状に配列された上記各ＬＥＤモジュールを覆うものであり、
側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有することを特徴とする吊下げ型照明器具。
【請求項２】
天井から吊下げられて室内を照らす吊下げ型照明器具において、
光源であるＬＥＤと、当該ＬＥＤが取り付けられる器具本体と、ＬＥＤの光を拡散して透過する光拡散部とを備え、
上記器具本体は、器具本体の上面の少なくとも一部を構成するシャーシと、上記ＬＥＤを取り付ける取付用部を備え、
側面視において、上記取付用部は、ＬＥＤの取付面を、上記シャーシに対して器具本体の横下方へ斜めに向け、
上記ＬＥＤは、上記取付用部へ取り付けられることにより、側面視において、光軸を横下方へ斜めに向けるものであり、
上記光拡散部は、器具本体へ取り付けられて、上記複数のＬＥＤを覆うものであり、
側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有するものであることを特徴とする吊下げ型照明器具。
【請求項３】
側面視において、上記取付用部は、上記シャーシに対し１０度〜４５度の角度傾斜することを特徴とする請求項２記載の吊下げ型照明器具。
【請求項４】
上記器具本体は、上記ＬＥＤの熱を放熱する放熱部材を備え、
上記放熱部材は、上記器具本体に設けられて、上記器具本体の側部又は底部の少なくとも一部を構成し、
上記シャーシは金属製であり、
上記放熱部材が、上記ＬＥＤを取り付ける上記の取付用部を備え、
上記放熱部材は、上記ＬＥＤの熱を放熱すると共に上記シャーシに接続されて、ＬＥＤの熱をシャーシに伝導するものであり、
側面視において、上記取付用部は、上記器具本体への固定端を下端とし上記シャーシとの接続側を上端として、ＬＥＤの取付面を、上記シャーシに対して上記器具本体の横下方へ斜めに向けるものであることを特徴とする請求項２又は３記載の吊下げ型照明器具。
【請求項５】
上記ＬＥＤを複数備え、
上記放熱部材は、上記取付用部を複数備え、
平面視において、上記複数のＬＥＤは、環状に配列され、
上記放熱部材の下部は、下方に向けて窄まる、円錐台又は角錐台を呈し、当該円錐台の周方向の側面各部又は当該角錐台の各側面の夫々が、上記取付用部をなすものであり、
上記取付用部の夫々へ上記各ＬＥＤが取り付けられて、平面視において、上記の通り各ＬＥＤは、器具本体へ環状に配列されると共に、側面視において、上記器具本体に対し、当該配列の環の外側下方に向け光軸が斜めとなるように設けられたことを特徴とする請求項４記載の吊下げ型照明器具。
【手続補正２】
【補正対象書類名】明細書
【補正対象項目名】全文
【補正方法】変更
【補正の内容】
【発明の詳細な説明】
【技術分野】
【０００１】
本願発明は、吊下げ型照明器具に関するものである。
【背景技術】
【０００２】
ペンダント型と呼ばれる吊下げ型照明器具は、天井からコードにて吊下げられる照明器具である。近年では、省スペースや省エネに優れ、寿命の長さからメンテナンスの負担が少ない、ＬＥＤを光源とするものが見られる（特許文献１）。
特許文献１の図１に示されているように、この吊下げ型のＬＥＤ照明器具は、側面視において、光軸を床面に対してほぼ９０度とするものである。
具体的には、特許文献１の図１に示された照明器具では、ＬＥＤが発する熱を効率よく放熱するため、照明器具の本体ケーシング上部にヒートシンク（放熱部１ｅ）が設けられ、本体ケーシング内において、当該ヒートシンクの下面に、ＬＥＤの基板が固定されている。側面視において、ＬＥＤの基板は、ヒートシンクに固定されて、床面に対し平行である。
一方、照明器具用として普及している一般的なＬＥＤの配光角は、概ね１２０度の範囲を超えるものではない。
【先行技術文献】
【特許文献】
【０００３】
【特許文献１】特開２００８−２１８２３８号公報
【発明の概要】
【発明が解決しようとする課題】
【０００４】
このため、上記の通り、光軸を床面に対してほぼ９０度とするもの即ちＬＥＤを真下に向けるものでは、天井側を十分照らすことができなかった。
この点、天井に直付けするタイプのＬＥＤ照明器具では、ほぼ天井面から下側に向けて部屋を照らすので問題にならなかった。
しかし、吊下げ型のＬＥＤ照明器具では、天井よりも低い位置に光源であるＬＥＤが配置されるので、照明器具直下の明るさを十分に確保できても、部屋全体を明るく照らすことができずに暗い印象を与えてしまう。
また、上記ＬＥＤ照明器具では、複数のＬＥＤを下方に向けることによって、ＬＥＤ間の配光の重なる部分が大きい。この配光の重なる部分の明るさは、過剰な場合もある。
このため、各ＬＥＤ間の間隔を大きくして、配光の重なりを小さくすることも考えられるが、照明器具を肥大化させてしまう。また、天井側の明るさの大幅な改善も見込めない。上記の通り、照明器具が肥大化することにより、室内の圧迫感を生じれば、省スペースといった観点から本末転倒である。
【０００５】
一方、照明器具の設計によっては、器具本体２１の一部として、放熱部１ｅの下部に円筒や逆円錐台形のプラスチックの成形部材を設けることがある。このような場合に、成形部材の下面にＬＥＤの基板を取り付けるものとすると、上記放熱部１ｅとＬＥＤの基板とは離れてしまう。
即ち、ＬＥＤの基板と放熱部１ｃとの間隔分、ＬＥＤの基板は、放熱部１ｃから遠ざかるものとなる。
ＬＥＤの基板の放熱に上記放熱部１ｅを利用しようとすると、放熱部１ｅとＬＥＤの基板との間に、当該基板と放熱部１ｃとの上下の間隔分の長さを有するアルミなどの熱伝導部材を介在させて、基板の熱を放熱部１ｅへ伝えることが必要となる。
本願発明は、吊下げ式の照明器具において、配光の偏りを抑え室内を広範に照らすことを目的とする。特に、本願発明は、前記配光の重なりを抑えることを目的とする。
また、本願発明は、シャーシ（放熱部１ｅ）を利用して効果的にＬＥＤ基盤の放熱を行うことができる吊下げ式の照明器具について、シャーシとＬＥＤの基板との隔たりの上記問題と、前記照らす範囲の偏りの問題とを一挙に解決することを目的とする。
尚、この発明が解決しようとする課題及び前記技術背景の欄で用いた番号及び記号は、これらの欄でのみ用いるものであり、他の欄に記載の番号や記号と無関係である。
【課題を解決するための手段】
【０００６】
本願の請求項１の発明は、天井から吊下げられて室内を照らす吊下げ型照明器具について、次の構成を採るものを提供する。
即ち、この照明器具は、光源であるＬＥＤを有する複数のＬＥＤモジュールと、複数の当該ＬＥＤモジュールが取り付けられる器具本体と、ＬＥＤの光を拡散して透過する光拡散部と、天井から下方へ上記器具本体を吊り下げるコードとを備え、上記ＬＥＤモジュールの夫々は、１つ又は複数のＬＥＤと、表面に当該ＬＥＤが設けられた基板とを備え、平面視において、上記複数のＬＥＤモジュールは、環状に配列され、  上記器具本体には、器具本体の上面の少なくとも一部を構成する金属製のシャーシと、上記ＬＥＤの熱を放熱する放熱部材とが設けられ、上記放熱部材は、上記器具本体に設けられて、器具本体の側部又は底部の少なくとも一部を構成し、上記放熱部材は、複数の金属製の構成板からなり、上記構成板の夫々は、側面視において、個々の上記ＬＥＤモジュールを取り付ける取付用部と、当該取付用部を上記シャーシに接続する接続用部とを備え、上記取付用部表面にＬＥＤモジュールの上記基板の裏面が固定されるものであり、上記構成板の夫々は、当該取付用部に取り付けられた上記ＬＥＤモジュールの熱を放熱すると共に当該熱の一部を上記シャーシに伝導するものであり、  側面視において、上記取付用部の夫々は、上記器具本体への固定端を下端とし、上記シャーシに対して１０度〜４５度の角度で傾斜するものであり、平面視において、上記複数の構成板が環状に配され、側面視において、上記放熱部材の下部は、構成板の上記取付用部の夫々を側面として下方に窄まる角錐台を呈し、上記取付用部に取り付けられることによって、複数のＬＥＤモジュールは、平面視において、上記の通り環状に配列され、上記取付用部に取り付けられることによって、個々のＬＥＤモジュールは、側面視において、ＬＥＤモジュールの上記配列の環の外側下方に向け基板を床面に対し１０度〜４５度の角度に傾斜させ、側面視において、上記接続用部の夫々は、上記シャーシに対し上記取付用部と逆方向に向け、上記取付用部から斜め上方に伸びるものであり、側面視において、上記各接続用部の上端部が上記シャーシの下面に沿って横方向へ伸び、ネジやボルトなどの留め具にて、各接続用部の当該上端部が上記シャーシへ固定されるものであり、上記シャーシの上面の一部に、上記コードを係止する支持体が設けられ、上記支持体は、上記シャーシの上面より上方に向け凸状に突出する半球状の金属製部材であり、上記光拡散部は、上記器具本体へ取り付けられて、環状に配列された上記各ＬＥＤモジュールを覆うものであり、側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有する。
尚、ここでいう角錐は、周方向について側面が複数の平面にて構成されたものであればよく、端面が平らなものに限定するものではない。例えば端面は、凹曲面や凸曲面であっても、周方向について側面が複数の平面にて構成されていれば、これを含む。また、当該端面の平面視における形状も多角形に限定するものではなく、デザイン処理によって、円形などの多角形以外の形状とされたものも、周方向について側面が複数の平面にて構成されたものであれば、ここでいう角錐に含む。
本願の請求項２の発明は、天井から吊下げられて室内を照らす吊下げ型照明器具について、次の構成を採るものを提供する。
即ち、この照明器具は、光源であるＬＥＤと、当該ＬＥＤが取り付けられる器具本体と、ＬＥＤの光を拡散して透過する光拡散部とを備え、上記器具本体は、器具本体の上面の少なくとも一部を構成するシャーシと、上記ＬＥＤを取り付ける取付用部を備え、側面視において、上記取付用部は、ＬＥＤの取付面を、上記シャーシに対して器具本体の横下方へ斜めに向け、上記ＬＥＤは、上記取付用部へ取り付けられることにより、側面視において、光軸を横下方へ斜めに向けるものであり、上記光拡散部は、器具本体へ取り付けられて、上記複数のＬＥＤを覆うものであり、側面視において、上記光拡散部は、ＬＥＤから間隔を開けて設けられ且つＬＥＤの光軸とほぼ直交する主透過部と、当該主透過部の上方に位置し且つ当該主光透過部の内面にて反射したＬＥＤの光を天井側へ透過する上方透過部とを有する。
本願の請求項３の発明では、本願の上記請求項２の発明にあって、側面視において、上記取付用部は、上記シャーシに対し１０度〜４５度の角度傾斜する吊下げ型照明器具を提供する。
本願の上記請求項４の発明は、本願の上記請求項２又は３の発明にあって、次の構成を採る吊下げ型照明器具を提供する。
即ち、上記器具本体は、上記ＬＥＤの熱を放熱する放熱部材を備え、上記放熱部材は、上記器具本体に設けられて、上記器具本体の側部又は底部の少なくとも一部を構成し、上記シャーシは金属製であり、上記放熱部材が、上記ＬＥＤを取り付ける上記の取付用部を備え、上記放熱部材は、上記ＬＥＤの熱を放熱すると共に上記シャーシに接続されて、ＬＥＤの熱をシャーシに伝導するものであり、側面視において、上記取付用部は、上記器具本体への固定端を下端とし上記シャーシとの接続側を上端として、ＬＥＤの取付面を、上記シャーシに対して上記器具本体の横下方へ斜めに向ける。
本願の上記請求項５の発明は、本願の上記請求項２乃至４の何れかの発明にあって、次の構成を採る吊下げ型照明器具を提供する。
即ち、この吊下げ型照明器具は、上記ＬＥＤを複数備え、上記放熱部材は、上記取付用部を複数備え、平面視において、上記複数のＬＥＤは、環状に配列され、上記放熱部材の下部は、下方に向けて窄まる、円錐台又は角錐台を呈し、当該円錐台の周方向の側面各部又は当該角錐台の各側面の夫々が、上記取付用部をなすものであり、上記取付用部の夫々へ上記各ＬＥＤが取り付けられて、平面視において、上記の通り各ＬＥＤは、器具本体へ環状に配列されると共に、側面視において、上記器具本体に対し、当該配列の環の外側下方に向け光軸が斜めとなるように設けられている。
【発明の効果】
【０００７】
本願の各請求項の発明は、側面視において、各ＬＥＤの光軸を斜めとして、広範に室内を照らすことを可能とした。
その上で、本願の請求項１、４及び５の発明は、ＬＥＤの取り付用の部材を放熱部材することによって、ＬＥＤの加熱を抑えることができる。特に、照明器具が備えるシャーシを利用して、ＬＥＤが発する熱を適切に放熱することを可能とした。
更に、本願の請求項１、４及び５の発明は、側面視において、ＬＥＤを取り付ける取付用部を、器具本体の上面を構成する上記シャーシに対し、斜めに配置することにより、器具本体へ固定した当該取付用部の下端に対して、当該取付用部の上端側をシャーシへ近づける或いはシャーシと直接接続することができる。また、この照明器具において、取付用部をシャーシと直接接続しないものであっても、取付用部を器具本体の底面へ水平に配置する場合に比べて、シャーシと取付用部との間に介される熱伝導部材即ち接続用部の上下の長さを、短いものとすることができる。
更に、本願の請求項１及び５の発明は、吊下げ型のＬＥＤ照明器具において、上記の通り平面視環状に配列した各ＬＥＤの光軸が、側面視において当該配列の輪の外側下方に向けて傾斜するように各ＬＥＤを、器具本体へ設けることによって、下方へ向かうＬＥＤ間の光の重なりを緩和した。特に、ＬＥＤの光の照射範囲を天井側へ寄せるものとなり、天井側の暗さを緩和した。
本願の請求項１及び５の発明は、シャーシを利用し照明器具と天井との間の空間を活用してＬＥＤの熱を効果的に放熱するものであるが、前述の特許文献１と異なり、シャーシに直接ＬＥＤの基板を取り付けるものではなく、側面視において傾斜する取付用部へＬＥＤを取り付け、ＬＥＤの確実な放熱と天井側の暗さの緩和との両立を可能としたものである。
【図面の簡単な説明】
【０００８】
【図１】（Ａ）は本願発明の一実施の形態に係る照明器具の縦断面図、（Ｂ）はその照明器具の一部切欠拡縦大断面図。
【図２】（Ａ）は上記照明器具のカバーを外し主として底部側を見せる斜視図、（Ｂ）は上記照明器具の放熱部材を外し主として上面部側を見せる一部切欠斜視図、（Ｃ）は図１（Ｂ）の照明器具のＸ−Ｘ断面図。
【図３】（Ａ）は上記照明器具の一部切欠拡要部縦大断面図、（Ｂ）は他の実施の形態を示す一部切欠拡要部縦大断面図。
【図４】（Ａ）は上記照明器具のカバー７０係止前の一部切欠略底面図、（Ｂ）は上記照明器具の器具本体の一部切欠拡要部略斜視図、（Ｃ）は上記照明器具の器具本体にカバーを装着した状態を示す一部切欠略底面図。
【図５】配光を説明する上記照明器具の縦断面図。
【図６】（Ａ）は上記照明器具の平面図、（Ｂ）は上記照明器具のＬＥＤモジュール１の平面図。
【発明を実施するための形態】
【０００９】
以下、図面に基づき本願発明の実施の形態を説明する。
説明の便宜上、各図において、Ｕは上方、Ｓは下方を示す。
図１（Ａ）へ示す通り、この照明器具は、ペンダント型の即ち天井から吊り下げる吊下げ型の屋内照明器具である。尚、図１（Ａ）（Ｂ）において、図面の煩雑を避けるため、ハッチングは省略している。
この照明器具は、複数のＬＥＤモジュール１と、複数の当該ＬＥＤモジュール１が取り付けられる器具本体２と、放熱部材３と、留め具５と、光拡散部７と、コード８と、虫侵入防止部とを備える。
各部の構成について順に説明する。
【００１０】
（ＬＥＤ１）
上記ＬＥＤモジュール１の夫々は、光源である１つ又は複数のＬＥＤ１０と、基板１１とを備えたモジュールである。当該ＬＥＤ１０は基板１１の表面に設けられている。図２（Ａ）及び図６（Ｂ）へ示す通り、個々のＬＥＤモジュール１の基板１１は、平面視略台形である。図６（Ｂ）へ示す通り、このＬＥＤモジュール１は等脚台形状であるが、正確には、本来台形として平行な一対の辺の一方となるべき短辺１６が、平面視凹の曲線である。但し、当該短辺１６は、通常の台形と同じく、直線としても実施できる。
複数のＬＥＤモジュール１は、上記放熱部材３にて器具本体２へ取り付けられる。
複数のＬＥＤモジュール１は、平面視環状に配列される。図２（Ａ）及び図６（Ｂ）へ示す通り、各基板１１には、複数の上記ＬＥＤ１０の他、モジュール間コネクタ１３や、電源コネクタ１４が設けられる。モジュール間コネクタ１３は、基板１１同士間に介される配線１２へ接続するものである。電源コネクタ１４は、電源からの配線（図示しない。）に接続するものである。図６（Ｂ）の１５は、ネジやボルトなどの固定具を通す穴を示している。
【００１１】
（器具本体２）
上記器具本体２は、図１及び図２へ示す通り、中心軸を上下とするプラスチック製の筒状体である。この実施の形態において、器具本体２は、ポリプロピレンにて形成されている。但し、器具本体２は、ポリプロピレンに限定するものではなく、軽量で照明器具として実用的な強度を備えるものであれば、ポリプロピレン以外の素材にて形成することが可能である。
図１（Ａ）へ示す通り、器具本体２である当該筒状体の高さは、その直径よりも小さい。上記器具本体２は、下端に底部を備え、上端が開口する。この上端開口部の外縁にはフランジ部２０が形成されている。フランジ部２０の上面に、シャーシ６が取り付けられて、器具本体２の上端開口部は、当該シャーシ６にて塞がれる。
フランジ部２０には、図１（Ｂ）及び図３（Ａ）へ示す通り、フランジ部２０の上面から下面に貫通する複数の窓部２１が設けられている。複数の窓部２１は、平面視において、上記上端開口部を取り囲むようフランジ部２０へ設けられている。
図１（Ｂ）及び図３（Ａ）へ示す通り、フランジ部２０の外縁２０ａには、側面視において、フランジ部２０の径外方向且つ下方に向け斜めに伸びるスリーブ２２が延設されている。フランジ部２０の下面には、側面視において、上記窓部２１とスリーブ２２との間から、下方へ伸びる筒状部２３が設けられている。この筒状部２３は、下端が解放されている。スリーブ２２と筒状部２３は、何れも、器具本体２が呈する上記筒状体と同心である。
【００１２】
図３（Ａ）へ示す通り、スリーブ２２の内周面と筒状部２３の外周面との間は、器具本体２の径の内外方向について、間隔が開けられており、両者の間の空間が、後述する被係止部２４の収容部ｋを構成する。即ち、側面視において、スリーブ２２は、上記空間を画する外壁部であり、筒状部２３は上記空間を画する内壁部である。
図３（Ａ）へ示す通り、スリーブ２２の内周面には、側面視において、スリーブ２２の径の内側へスリーブ２２の外縁２２ａと隣接して座部２６が設けられている。座部２６は、下端がスリーブ２２の上記外縁２２ａの上方に位置する。この実施の形態において、座部２６の下面は平らである。座部２６は、平面視において環状に形成されている。座部２６が呈する環は、器具本体２と同心である。
この実施の形態において、座部２６は、平面視において、同心の二重の円として、２つ設けられているが、座部２６は１つでも、３つ以上でも実施できる。
図３（Ａ）へ示す通り、側面視において、スリーブ２２の外縁２２ａと筒状部２３の下縁２３ａとの間、正確には上記座部２６と筒状部２３の下縁２３ａとの間には間隔が開けられており、当該座部２６と筒状部２３の下縁２３ａとの間は、上記収容部ｋの開口部ｋ１を形成する。この開口部ｋ１は、平面視において、筒状の器具本体と同心の環を呈する。
図２（Ｂ）及び図３（Ａ）へ示す通り、筒状部２３の下縁２３ａには、平面視において周方向の互いに異なる位置へ複数の係止部２４が設けられている。係止部２４は、夫々筒状部２３の下縁２３ａから筒状部２３の径外方向へ向けて突出する小片である。
係止部２４は、図２（Ｂ）及び図４へ示す通り、スリーブ２２の周方向ｒに沿って設けられ、上面をほぼ水平な面とする板状部である。
平面視において、スリーブ２２の周方向ｒについて、開口部ｋ１の上記係止部２４同士の間には、間隔が開けられ、収容部ｋにおいて、平面視における当該係止部２４同士の間は、ガイド部ｋ２を構成する（図２（Ｂ）及び図４）。
図２（Ｂ）及び図４（Ｂ）へ示す通り、係止部２４におけるスリーブ２２周方向ｒの一端には、側面視においてスリーブ２２の周方向ｒに沿って当該一端から離れるにつれ下方へ向け斜めに伸びる傾斜部２５が延設されている。
尚、図２（Ｂ）は、説明の便宜上、接続用部４とスリーブ２２と筒状部２３の係止部２４以外の部分とを取り除いて描かれている。
【００１３】
上記シャーシ６は、器具本体２の上部に設けられて、器具本体２の上面を構成する、冷間圧延鋼板でできた円盤である。シャーシ６は、図１（Ａ）へ示す通り、器具本体２の上面を構成すべく、盤面を上下に向け水平に配されている。
前述の通り、上記シャーシ６は、器具本体２の上面部として、器具本体２のフランジ部２０に取り付けられて、器具本体２の上記開口部を塞ぐ。
詳しくは、側面視において、シャーシ６は、フランジ部２０の上記窓部２１に重なる部位が、下方への隆起部６１として、上方から窓部２１内へ入りこむ（図３（Ａ））。
【００１４】
（放熱部材３）
上記放熱部材３は、図１（Ａ）（Ｂ）及び図２（Ａ）に示す通り、上記の器具本体２に設けられた金属製の部材である。
放熱部材３は、平面視において、器具本体２を取り囲んで環状に配列された複数のアルミ製の構成板３０にて構成される。
側面視において、構成板３０の夫々は、上記ＬＥＤモジュール１を取り付ける取付用部３１と、当該取付用部３１を上記シャーシ６へ接続する接続用部３２とを備える。
上記取付用部３１の表面にＬＥＤモジュール１の上記基板１１の裏面が固定される。
構成板３０の夫々は、当該取付用部に取り付けられた上記ＬＥＤモジュール１の発する熱を放熱すると共に当該熱の一部を上記シャーシ６に伝導する。
側面視において、上記取付用部３１の夫々は、上記器具本体２への固定端を下端とし、上記シャーシ６に対して１０度〜４５度傾斜する。
平面視において、上記の通り、複数の構成板３０が環状に配され、側面視において、上記放熱部材３の下部は、構成板３０の上記取付用部３１の夫々を側面として下方に窄まる角錐台を呈する。
この実施の形態において、上記ＬＥＤモジュール１及び構成板３０は夫々８枚であり、放熱部材３は、８つ取付用部３１を備える。従って、平面視において、上記８枚の構成板３０が環状に配され、側面視において、上記放熱部材３の下部は、構成板３０の上記取付用部３１の夫々を側面として下方に窄まる八角錐台を呈する。放熱部材３の下端面は、正確には、平面視円形である。即ち、上記の逆八角錐台の各側面の下辺は、直線ではなく円弧である。
そして、側面視において、取付用部３１の夫々は、一端を下端とし、当該下端が器具本体２の底面の縁において器具本体２へ固定されている。取付用部３１の夫々は、上記の通り八角錐台の側面とされることによって、側面視において、他の一端を上端として、当該上端を上記下端の上方であって、構成板３０が呈する環の外側へ向ける。
【００１５】
上記角度に傾斜する取付用部３１の夫々に、各ＬＥＤモジュール１の基板１１裏面を固定する。ネジやボルト・ナットといった固定具を基板１１の前述の穴１５へ通すことにより、基板１１の裏面を取付用部３１の表面へ密着するように固定することができる。
上記の固定により、側面視において、当該基板１１をシャーシ６に対して１０度〜４５度傾斜させることができる。即ち、側面視において、部屋の床面に対し、当該基板１１を１０度〜４５度傾斜させることができる。
また、取付用部３１の夫々に、各ＬＥＤモジュール１の基板１１裏面を固定することによって、平面視において、上記複数のＬＥＤモジュール１を上記器具本体２へ環状に配列することができる。
基板１１に対してＬＥＤ１０の光軸は、側面視において、９０度の角度をなすものであり、基板１１の上記傾斜によって、側面視において、当該配列の環の外側下方に向けＬＥＤ１０の光軸を斜めとする。即ち、側面視において、部屋の床面に対し、ＬＥＤ１０の光軸を傾斜させることができる。
尚、図２（Ａ）において、八角錐台の手前の２つの側面は、ＬＥＤモジュール１を外された状態に描かれており、２枚の構成板３０の取付用部３１が露出している。図２（Ａ）へ示す通り、構成板３０の取付板３１はその表裏に貫通する貫通部３１を備える。この貫通部３１へ、電源と電気的に連絡する配線や、隣り合う基板１１同士を接続する配線１２が通される。
【００１６】
側面視において、上記構成板３０の接続用部３２は、取付用部３１の上端から、取付用部３１と反対に傾斜して上方へ伸びる。即ち、側面視において、接続用部３２と取付用部３１とは、くの字を呈する。更に、図１（Ｂ）及び図２（Ａ）へ示す通り、側面視において、接続用部３２の上端部３３は、接続用部３２の下部に対し屈曲して、フランジ部２０の径内方向に向け横方向に伸びる。
接続用部３２の当該上端部３３は、フランジ部２０の下方から、フランジ部２０の上記窓部２１へ配置される。当該配置によって、接続用部３２の上端部３３は、窓部２１にてシャーシ６の下面に沿わされる。
接続用部３２の上端部３３は、シャーシ６の前述の隆起部６１に、窓部２１を通じて、重ねられ、前記留め具５が通される。
図１（Ｂ）及び図３（Ａ）へ示す通り、接続用部３２の内側面には上下に伸びる複数の隆起３４が形成されている。この隆起３４は、接続用部３２を補強すると共に接続用部３２の表面積を大きくして、放熱効果を高める。
【００１７】
（留め具５）
留め具５は、ネジやピン、ボルト・ナットといった周知の固定手段にて実施すればよい。上記の通り窓部２１を通じて留め具５をシャーシ６と接続用部３２の上端部３３へ通すことにより、シャーシ６へ接続用部３２を固定すると共に、シャーシ６と接続用部３２を器具本体２へ固定する。また、器具本体２へ接続用部３２を固定することにより、構成板３０の上端を器具本体２へ固定することになる。
上記構成板３０のシャーシ６への固定により、構成板３０が受けたＬＥＤモジュール１の熱の一部が、構成板３０からシャーシ６へ伝えられる。
尚、この実施の形態では、シャーシ６の器具本体２への固定をより確実にするために、上記留め具５とは別に、シャーシ６の取り付け専用の、上記接続用部３２の固定に関与しない副留め具５１を設けている（図１（Ａ）及び図６（Ａ））。
【００１８】
（コード８）
上記のコード８は、図１（Ａ）へ示す通り、天井から下方に間隔を開けて、シャーシ６と、当該シャーシ６が設けられた器具本体２を吊るす。
また、コード８は、内部に電気を供給する電線を有するものであり、上記の通り、シャーシ６と共に器具本体２を支持するほか、器具本体２に設けられた前述の交流・直流変換機や整流器といった電気機器（図示しない）を介して上記配線１２（図２（Ａ））と接続されて、ＬＥＤモジュール１へ電源を供給する。
コード８の上端側には、引掛部８１が設けられている。天井の電源供給部（引っ掛けシーリング）に、当該引掛部８１へ引っ掛けることにより、コード８の上端を、天井へ固定すると共に電源から照明器具へ電気を供給することができる。上記の接続固定具８２と引掛部８１は、周知の結合構造を採るものを採用する。
コード８が、照明器具を天井より下方に配置することにより、シャーシ６は、放熱部材３から伝達された熱を、天井と照明器具との間の空間を利用して、円滑に空気中へ放散することができる。
具体的には、ＬＥＤモジュール１の熱は、放熱部材３表面から直接空気中へ放出されると共に、図１（Ａ）において太字の矢印で示す通り、構成板３０の取付用部３１から接続用部３２を経て、シャーシ６へ伝わり、シャーシ６表面から照明器具の上方の空間へ向け放射される。図１（Ａ）において、煩雑を避けるため、太字の矢印は、側面視において、照明器具の左側にのみ付し、照明器具の右側については省略している。
上記の通りコード８は、照明器具の天井への支持と、電気の供給を兼ねるものとすることにより、照明器具の取り付けや配線を纏まりのよいものとすることができる。纏まりの良い分照明器具の設置も簡単に行える。
但し、当該電源の供給は、コード８とは別に設けられた電線によるものとし、コード８は専らシャーシ６や器具本体を支持するものを除外するものではない。
更に、この実施の形態では、キャップ８０がシャーシ６の上面中央に取り付けられる。このキャップ８０は、錐状の中空の部材であり、コード８の下端側を覆う。
この実の形態において、キャップ８０は、プラスチック製の部材である。この他、シャーシ６と共に放熱効果を促進するために、金属製の部材にてキャップ８０を形成してもよい。
【００１９】
（光拡散部７）
この照明器具は、器具本体２の下部を覆うカバー７０を備える。
カバー７０は、光を拡散して透過することができる、透明又は半透明のプラスチックにて形成されている。この実施の形態において、カバー７０は、白色、特に乳半色のアクリルにて形成されている。但し、ＬＥＤの発する光を拡散して透過するものであれば、このような素材に限定するものではなく、他の素材にてカバー７０を形成することが可能である。
カバー７０は、前記光拡散部７と、中央部７２と、内襟部７８とを備える。
光拡散部７は、平面視において、取付用部３にて器具本体２へ取り付けられて上記環状に配列されたＬＥＤモジュール１を覆う環状のケースである。ケースである光拡散部７の上部は開口する。
中央部７２は、平面視において光拡散部７が呈する環の内側を塞ぐように、光拡散部７と一体に形成された板状部である。中央部７２は、図１（Ａ）へ示す通り、径の中心を最深部として、側面視において、上方へ後退する凹曲面を呈する。
【００２０】
上記光拡散部７は、ＬＥＤ１からの直接光を拡散して照明器具の外部へ透過する。
平面視において、光拡散部７の外径、即ち、カバー７０の最大径は、上記スリーブ２２の径よりも大きい。
光拡散部７は、図１（Ｂ）へ示す通り、側面視においてＬＥＤ１０の光軸とほぼ直交する主透過部７１と、上方透過部７３とを備える。
平面視において、主透過部７１と上方透過部７３は、夫々環状に形成されている。
平面視において、上記主透過部７１は機器本体２の径方向の外側に位置する。
上方透過部７３は、主透過部７１の径の内外方向について、主透過部７１の外側に設けられている。上方透過部７３は、主透過部７１と一体に設けられる。上方透過部７３は、平面視において光拡散部７の外径部となる主透過部７１の外縁から、内側に折り返された状態に形成されて、側面視において主透過部７１の上方へ位置する。
カバー７０を器具本体２の下方へ、器具本体２と同心に配置した際、平面視において、上方透過部７３は、前記スリーブ２２の外側に位置するものであり、側面視において、上方透過部７３は、スリーブ２２と主透過部７１との間を覆う傾斜部位である。
側面視において、上方透過部７３は、ＬＥＤ１からの直接光を拡散して照明器具の外部へ透過すると共に主透過７１の内面にて反射しＬＥＤ１の光をスリーブ２２の外側斜め上方へ向けて透過する。
上記の中央部７２は、器具本体２の真下に位置する。中央部７２の上面と器具本体２底部との間に間隔が設けられている。中央部７２は、ＬＥＤ１０から直接・間接的に器具本体２の真下に向かって斜め下方に進行する光を拡散してカバー７０外部へ透過する。
【００２１】
内襟部７８は、図２（Ｃ）及び図３（Ａ）へ示す通り、側面視において、光拡散部７の上方透過部７２の上端から、上面を水平にして、光拡散部７の径内方向へ向けて伸びる、平面視環状の板状部である。
内襟部７８の内径部には、内襟部７８の径内側方向へ突出する複数の被係止部７５が設けられている。被係止部７５同士は、平面視において、内襟部７８の周方向について、間隔を開けて設けられている。内襟部７８の周方向における、被係止部７５同士の当該間隔区間を以下間欠部７６と呼ぶ。
平面視において、器具本体２と同心となるように、器具本体２の下方へカバー７０を配置した状態において、スリーブ２２の外縁２２ａは、内襟部７８上面の上方に位置し、上記各被係止部７５は、器具本体２のスリーブ２２の径内外方向について、前記開口部ｋ１内に位置する。上記配置状態において、平面視における被係止部７５の器具本体２の中心からの距離は、平面視における係止部２４の器具本体２の中心からの距離と等しい。
被係止部７５は、上方に隆起する起立部７７を備える。
図２（Ｂ）及び図４（Ａ）は、カバー７０を、器具本体２へ固定する前の状態を示している。
図２（Ｂ）及び図４（Ａ）へ示す通り、カバー７０を器具本体２の下部へ配置し、収容部ｋにおける前記ガイド部ｋ２の開口部ｋ１から上記収容部ｋ内へ被係止部７５を挿入する。カバー７０を器具本体２の周方向へ回転させて、上記間欠部７６へ、前記の傾斜部２５及び係止部２４を、当該順に通す。ガイド部ｋ２は、上記回転に伴い、被係止部７５を係止部２４へ向けてガイドする。
図４（Ｂ）に被係止部７５を一点鎖線で示す。この図４（Ｂ）へ示す通り、傾斜部２５へ到達した被係止部７５は、傾斜部２５に案内されて、図４（Ｃ）へ示す通り、係止部２４の上面へ移動する。
上記スリーブ２２内部において、上記傾斜部２５側を入口側とし係止部２４を挟んで傾斜部２５と反対側は、筒状部２３の外壁の一部にて行き止まりとなっている。
被係止部７５の係止部２４上面への移行によって、被係止部７５の係止部２４への係止は完了する。
上記の通り、被係止部７５を係止部２４へ係止することにより、カバー７０を器具本体２へ仮止めすることができる。
【００２２】
上記仮止め後、図２（Ｃ）及び図３（Ａ）へ示す通り、スリーブ２２へ、ネジやボルトといった、ねじ山を備えた上記固定具４をねじ込む。この固定具４によって、被係止部７５が係止部２４の上面から上記入口側へ後退するのを阻止する。
固定具は、工具によって取り外ことができるものである。即ち、分解しなければ、カバー７０を器具本体から外すことができない。
上記の係止部２４と被係止部７５と収容部ｋと固定具４とが、カバー７０を器具本体２へ固定する固定機構を構成する。
上記固定具４の装着にて、カバー７０を器具本体２から、ユーザーサイドにて外せないようにし、ユーザーが加熱したＬＥＤの基板１１へ触れるを防ぐことができる。
但し、上記固定機構は、被係止部７５を係止部２４へ係止した後被係止部７５の後戻りを阻止する周知の嵌め殺しの構成を、このような固定具４に代えて、或いは固定具４と共に設けるものとしても実施できる。
被係止部２４の前記起立部７７先端は、スリーブ２２の内面に当接する。当該当接により、被係止部７５の係止部２４への係止において、カバー７０は、上記被係止部７５以外の部分で、器具本体２と接触しない。
即ち、起立部７７の上記当接により、内襟部７８の上面と、スリーブ２２の外縁２３ａとの間には、隙間が開けられる。
【００２３】
（虫侵入防止部）
上記の座部２６の下面に、虫侵入防止部２５が設けられる。虫侵入防止部２５は、押圧されることにより弾性変形する弾性変形部材である。上記虫侵入防止部２５は、上記スリーブ２２の外縁２２ａに沿って当該外縁２２ａ又は上記起立部７７よりも当該外縁２２ａ側に設けられ、座部２６に沿って平面視環状に配された部材である。
座部２６に設けられた虫侵入防止部２５の下端は、スリーブ２２の外縁２２ａよりも下方に突出する。
虫侵入防止部２５には、スポンジやゴム、ウレタンといった弾力性を有するクッション材を採用することができる。この実施の形態では、虫侵入防止部２５にはスポンジを採用する。
上記虫侵入防止部２５は、上記カバー７０と上記器具本体２との間に介され、係止部２４への被係止部７５の上記係止により、上記カバー７０の内襟部７８と上記器具本体２のスリーブ２２の外縁２２ａとに挟まれて弾性変形し、上記カバー７０と上記器具本体２と間を密閉し、スリーブ２２外縁２２ａとカバー７０の上記内襟部７８との間を通って虫が外部からカバー７０内に侵入するのを防止する。
また、弾性変形した虫侵入防止部にて、被係止部７５は係止部２４へ付勢され、係止がより強固なものとされる。
カバー７０と器具本体２とを異なる素材にて形成すると、熱膨張率・熱収縮率の違いにより、カバー７０と器具本体２の収縮や膨張の際に、器具本体２とカバー７０との間において、音鳴りが生じる。
器具本体２とカバー７０との間に上記虫侵入防止部２５を介すると共に、起立部７７により、被係止部７５の係止部２４への係止中、カバー７０の上端開口部において、カバー７０を上記被係止部７５以外の部分で、器具本体２と接触させないことにより、上記音鳴りを抑制することができる。虫侵入防止部２５にスポンジを採用するのが、音鳴り防止に効果的である。
【００２４】
（配光について）
図５を用いて、本願発明に係る上記照明器具の配光について説明する。図５に示す照明器具は、側面視において、ＬＥＤモジュール１の基板１１を、シャーシ６に対して、言い換えれば床面に対して２５度の角度傾斜させたものである。
図５では、直接光のみ示し、反射光については省略する。
本願発明の配光を実線の直線で示す。また、基板１１を水平（傾斜角度０度）に配置する、従来の照明器具の配光を点線で示す。また、比較例として、基板１１を鉛直に立てた状態（９０度）の配光を一点鎖線で示す。上記実線同士、点線同士、一点鎖線同士に挟まれた、本願、従来例、比較例夫々の配光各は、何れも１２０度である。
図５へ示す通り、カバー内の反射を除いた、直接光の配光について見れば、本願発明に係る照明器具は、ＬＥＤ同士で重なるところが少なく、照明器具のほぼ真横まで配光されている。
これに対して、従来の基板１１を水平とするものは、ＬＥＤ間の配光の重なりが本願の照明器具に比して極めて大きく、横方向には殆ど配光されていない。
また、上記比較例では、真横や上方への配光がなされているものの、肝心の照明器具の真下については配光されず、中抜け状態となっている。
【００２５】
（変更例）
図３（Ｂ）へ示す通り、虫侵入防止部２５は、スリーブ２２の外縁２２ａの下面を覆うように、スリーブ２２へ設けるものとしても実施できる。
図１〜図３へ示す各実施の形態において、放熱部材３は、複数の構成板３０にて分割して形成されたものであったが、一つの金属部材で一体に形成するものとしてもよい。
また、放熱部材３の下部は、上記の実施の形態において、図２（Ａ）へ示す通り、八角錐台を呈するものとした。取付用部３は、この他、三角〜七角錐台或いは九角錐以上の多角錐台を呈するものとしても実施できる。更には、放熱部材３の下部は、円錐台を呈するものとしても実施できる。
また、放熱部材３の構成板３０に上記接続用部３２を設けず、取付用部３１を直接シャーシ６へ接続するものとしても実施できる。更には、放熱部材３をシャーシ６と一体に形成するものとしてもよい。放熱部材３をシャーシ６と一体に形成する場合、両者を共にアルミ又は冷間圧延鋼板にて形成するものとすればよい。
放熱部材３は、アルミ製のものに限定するものではなく、ＬＥＤモジュール１の熱を伝導し放熱するに適した他の金属を用いて実施することも可能である。
上記図示した実施の形態において、開口部ｋ１は、平面視環状に形成されたものを示したが、弧状であっても実施できる。
また、上記おいて、係止部２４は、筒状部２３へ設けられて筒状部２３の径外方向へ突出するものとした。この他、係止部２４は、スリーブ２２へ設けられてスリーブ２２の径内方向へ突出するものとしてもよい。
係止部２４と被係止部７５については、互いの構成が、図示した実施の形態と逆であっても実施できる。係止部２４と被係止部７５を図示した実施の形態と逆にする場合、被係止部７５の上記収容部ｋを、カバー７０側に形成すればよい。
更に、上記各実施の形態において、虫侵入防止部２５は、器具本体２のフランジ２２へ固定するものとしたが、カバー７０側へ固定するものとしても実施できる。
【符号の説明】
【００２６】
１  ＬＥＤ  
２  器具本体
３  放熱部材
４  固定具
５  留め具
６  シャーシ